(57)【要約】【課題】外枠内の内袋に液体を注入するためのホースを、注入口に正常な状態を保持するように接続でき、しかも液体注入に伴う注入口の上昇にあわせて、ホースを外枠外方へスムーズに送り出すことができ、内袋に歪みを生じさせずに注入できるようにする。【解決手段】外枠２０の側壁上端部２２に取付可能な取付基部２、この取付基部より外枠内方に延びる２本の支持腕部３，３を有する本体１と、両支持腕部３，３に跨って固定されるガイド部材５とよりなり、取付基部２及びガイド部材５の上部に、それぞれ、ホース３０が入る間隔を存して並立する各一対の縦ガイド４，４及び８，８を設けるとともに、両縦ガイド間の下部に回転自在なガイドローラ及び９を設け、両縦ガイド４，４及び８，８間に通され内袋１０の注入口１１に接続されるホース３０を、長手方向に送り移動可能に支持できるようにする。【選択図】        図６
2007009953.tif 000002
【特許請求の範囲】
【請求項１】
コンテナ用内袋と直方体形状の外枠との組み合わせからなる液体コンテナにおいて、折り畳み状態で外枠底部上にセットされた前記内袋の注入口にホースを接続して液体を注入する際に使用するホースガイドであって、
前記外枠の側壁上端部の一部に対し上方からの嵌合により取付可能な取付基部を有するとともに、該取付基部より前記側壁上端部に対する取付状態において外枠内方に向かって延びる平行な２本の支持腕部を有してなる本体と、前記両支持腕部に跨って任意の位置に固定されるガイド部材とを備え、
前記本体の取付基部及び前記ガイド部材の上部には、それぞれ、前記側壁上端部に沿う幅方向に前記ホースが入る間隔を存して並立する各一対の縦ガイドを有するとともに、それぞれ両縦ガイド間の下部に前記取付基部と平行な軸心を持つガイドローラを備えており、前記両縦ガイド間に通されて前記内袋の注入口に接続される前記ホースを、長手方向に送り移動可能に支持できるように構成されてなることを特徴とする液体コンテナ用のホースガイド。
【請求項２】
前記ガイド部材は、前記両支持腕部に対して固定位置を調整可能に設けられてなる請求項１に記載の液体コンテナ用のホースガイド。
【請求項３】
前記ガイド部材は、前記両支持腕部に対して長手方向にスライド移動可能でかつ任意の位置で係合固定できるように設けられてなる請求項２に記載の液体コンテナ用のホースガイド。
【請求項４】
前記ガイド部材及び取付基部の各一対の縦ガイドは、それぞれ縦方向の芯体を中心に回転自在なローラを有するものよりなる請求項１〜３のいずれか１項に記載の液体コンテナ用のホースガイド。
【発明の詳細な説明】
【技術分野】
【０００１】
本発明は、各種薬品や液状食品その他の液体の輸送に用いられる液体コンテナにおいてコンテナ用内袋に液体を注入する際に使用するホースガイドに関するものである。
【背景技術】
【０００２】
各種の薬品や液状の食品あるいは飲料や液状塗料等の液体を収容し輸送する液体コンテナとして、合成樹脂フィルム等よりなる内袋と、剛性のある直方体形状の外枠との組み合わせからなる液体コンテナが知られている（特許文献１）。かかる液体コンテナにおける内袋は、袋体の上部に注入口が設けられ、底部に排出口用の口部材が設けられてなるもので、外枠の底部に有する開口部において、前記口部材がバルブ付き排出管の端部と接続されてセットされる。
【０００３】
また、前記コンテナ用袋体の外枠に対するセット作業を容易にするために、バルブ付き排出管を前記口部材に接続した状態で外枠内に入れて、該排出管を前記開口部より下方に抜き通すようにして、内袋及び排出管をセットするようにした液体コンテナも提案されている（特許文献２）。
【０００４】
ところで、前記の液体コンテナにおける内袋は、例えば１トン前後の液体を収容できるもので、かなり大きな袋状をなしている。そのため、外枠にセットするまでの内袋の輸送、保管等の取り扱いにおいては、比較的小さく折り畳んでおき、これを外枠内の底部にセットするとともに前記口部材を排出管に接続する。そして、袋体の上部の注入口にホースを接続して液体を注入することにより、前記内袋を立体状に膨らませて外枠の内面に沿わせるようにする。
【０００５】
例えば、袋構成用のシート材を上下に重ね合わせて、その周縁部を融着することにより、扁平な袋状に形成した液体コンテナ用の内袋を使用する場合においても、前記のように折り畳んだ状態で外枠内の底部上にセットし、液体注入によって立体状に膨らませて外枠内面に沿わせるようにする。
【０００６】
この際、前記の液体注入のためのホースは、外枠の外方から側壁上端部を越えて外枠内に引き込まれ、前記側壁上端部に掛けられた状態で、該外枠内の底部にセットされている内袋の注入口に接続される。そのため、前記ホースを該注入口の上方から略垂直に下ろして接続しないと、該ホースにより内袋が引っ張られて歪んだ状態になる虞がある。
【０００７】
また、液体注入の際、内袋が液体により膨らむのに伴って上昇する前記注入口を常に中央部等の所定の位置に保持するように、前記注入口の上昇にあわせて前記ホースを外枠外方へ送り出せないと、外枠内で余剰の生じたホースにより引っ張られて前記注入口の位置がずれ、前記内袋が歪な形で膨らんだり、部分的な重なりが生じて側壁に押し付けられたり、傾きが生じたりする。仮に、内袋に歪みや傾きが生じると、必要な容量を確保できなくなるほか、内袋に対し部分的に無理な力がかかり、内袋が破損する等の問題が生じる虞がある。
【０００８】
しかし、前記外枠の側壁上端部には角パイプ等が使用されていること、また蛇腹状をなすホースが使用されることが多いこともあって、前記ホースが側壁上端部に引っ掛かった状態になり、前記注入口の上昇のみでは前記ホースを外方へ送り出せない。そのため、従来一般には、液体注入作業の際に作業者が常に注視しながら注入口の上昇にあわせて前記ホースを徐々に引き出すようにしており、そのための人員が余分に必要になり、作業性および経済性に問題がある。
【０００９】
なお、一部では、ホースを保持するアームをコンテナ外方でスタンドにより支持して、前記アームを液体注入時の注入口の上昇に合わせて上方に回動変位させるようにした補助具を用いることも考えられているが、スタンド式のために装置全体が大掛かりになり、その取り扱いが面倒になる上、コンテナ外から支持する装置のために広い設置スペースを必要とし、また設備コストも高くなる。
【特許文献１】特開平８−３３７２８８号公報
【特許文献２】特開２００４−２４４１０４号公報
【発明の開示】
【発明が解決しようとする課題】
【００１０】
本発明は、上記に鑑みてなしたものであり、内袋と外枠との組合せからなる液体コンテナにおける液体注入の際、外枠の側壁上端部を越えて外枠内に引き入れられる液体注入のためのホースを、外枠内の底部にセットされた内袋の注入口に対し接続するのに適切な位置に保持でき、しかも液体注入に伴う前記注入口の上昇にあわせて、前記ホースを外枠外方へスムーズに送り出すことができ、作業者が注視していなくても、内袋に歪みを生じさせることなく液体注入作業を行うことができる、安価にして簡便なホースガイドを提供するものである。
【課題を解決するための手段】
【００１１】
上記の課題を解決する本発明は、コンテナ用内袋と直方体形状の外枠との組み合わせからなる液体コンテナにおいて、折り畳み状態で外枠底部上にセットされた前記内袋の注入口にホースを接続して液体を注入する際に使用するホースガイドであって、前記外枠の側壁上端部の一部に対し上方からの嵌合により取付可能な取付基部を有するとともに、該取付基部より前記側壁上端部に対する取付状態において外枠内方に向かって延びる平行な２本の支持腕部を有してなる本体と、前記両支持腕部に跨って任意の位置に固定されるガイド部材とを備え、前記本体の取付基部及び前記ガイド部材の上部には、それぞれ、前記側壁上端部に沿う幅方向に前記ホースが入る間隔を存して並立する各一対の縦ガイドを有するとともに、それぞれ両縦ガイド間の下部に前記取付基部と平行な軸心を持つガイドローラを備えており、前記両縦ガイド間に通されて前記内袋の注入口に接続される前記ホースを、長手方向に送り移動可能に支持できるように構成されてなることを特徴とする。
【００１２】
このホースガイドは、外枠内の底部にセットされているコンテナ用内袋に液体を注入する際に使用する。この際、本体の支持腕部を内方に向けるようにして取付基部を外枠の側壁上端部の一部に嵌合することにより簡単に取付けることができる。こうして、液体注入のためのホースを、前記取付基部及びガイド部材に並立している各一対の縦ガイドの間に通し、かつ両縦ガイド間のガイドローラ上に掛けるようにして外枠内部に引き入れ、該ホースの先端部を、外枠底部上にセットされている内袋の注入口に対し、その上方より下ろすようにして接続すればよく、前記ホースの先端部を注入口に接続するのに適した位置に保持でき、以て内袋に歪みを生じさせることなく接続しセットできる。
【００１３】
そして、前記内袋への液体注入時には、折り畳まれた内袋が注入される液体の増加によって膨らみながら注入口が徐々に上昇するとともに、この注入口の上昇に伴って、該注入口に接続されているホースも押し上げられ、前記ガイドローラの上を抵抗なく外枠外方へ送り出されることになる。特に、前記ホースをガイドローラにより受支するため、前記ホースが仮に蛇腹状をなすものであっても、該ホースが引っ掛かったりすることなく、スムーズに送り出すことができる。そのため、作業者が注視していなくても、前記ホースの長さに余剰が生じて、前記注入口の位置がずれたり、内袋が引っ張られて歪んだりすることがない。
【００１４】
前記のホースガイドにおいて、前記ガイド部材は、前記両支持腕部に対して固定位置を調整可能に設けられてなるものが好ましい。特には、前記両支持腕部に対し長手方向にスライド移動可能でかつ任意の位置で係合固定できるように設けられてなるものが好ましい。これにより、前記ガイド部材の位置、つまりは該ガイド部材のガイドローラに掛けられて外枠内の下方に延びるホースの位置を、外枠のサイズ及びホース自体の保形性や可撓性の度合いに合わせて、外枠内の底部上にセットされる内袋の折り畳み状態における注入口の位置に対応するように位置合わせでき、最適な状態で内袋の注入口に接続できることになる。
【００１５】
また、前記のガイドホースにおいて、前記ガイド部材及び取付基部の各一対の縦ガイドは、それぞれ縦方向の芯体を中心に回転自在なローラを有するものよりなるものが好ましい。この場合、両縦ガイド間に通されたホースの横振れを規制できるとともに、該ホースの長手方向の送り出しに対する抵抗もさらに小さくなる。
【発明の効果】
【００１６】
上記したように本発明のホースガイドによれば、液体コンテナの外枠の側壁上端部に嵌合操作により簡単に取付けて使用できる。しかも、外枠内の底部上にセットされた内袋の注入口に液体注入のためのホースを接続して液体を注入する際、外枠の側壁上端部を越えて外枠内に引き込まれるホースを、前記内袋の注入口に対しその上方から下ろして内袋に接続するのに適切な位置に保持でき、内袋に歪みを生じさせることなく接続できるとともに、液体注入による注入口の上昇に伴ってホースを外枠外方へスムーズに送り出すことができ、ひいては内袋に歪みや傾き等を生じさせずに液体を注入し充填することができる。そのため、前記液体注入の際に、前記ホースの状態を常に注視してホースを引き出す必要がなく、また、そのための人員を要さずに効率よく液体注入作業を行うことができる。また、このホースガイドは、構造が簡単で取り扱い易く、誰でも容易にセット操作できるとともに、コスト安価でもある。
【発明を実施するための最良の形態】
【００１７】
次に本発明の実施の形態を図面に示す実施例に基づいて説明する。
【００１８】
図１は本発明に係るホースガイドの斜視図、図２は同平面図、図３は図２のIII−III線の断面図、図４は図２のIV−IV線の断面図、図５は一部の拡大断面図、図６及び図７は使用状態の一部を欠截した斜視図及び同断面図である。
【００１９】
本発明に係るホースガイドＡは、図６及び図７のように、袋体の上部に注入口１１を有する主として合成樹脂フィルム製の内袋１０と、外形が直方体形状をなす外枠２０との組合せからなる液体コンテナＣにおいて、折り畳み状態で外枠２０内の底部２３上に収容された前記内袋１０の注入口１１に、ホース３０を接続して液体を注入する際に使用するものであり、概ね次のような構成を備えてなる。
【００２０】
図１〜図４に示すように、本発明のホースガイドＡは、前記外枠２０の側壁２１の上端部２２の一部に対し好ましくは上方からの嵌合により回動不能に取付可能な取付基部２を有するとともに、該取付基部２より前記側壁上端部に２２対する取付状態において外枠２０の内方に向かって延びる平行な２本の支持腕部３，３を有してなる本体１と、該本体１の前記両支持腕部３，３に跨って前記取付基部２と平行に固定される位置調整用のガイド部材５とからなる。
【００２１】
一般に、前記外枠２０の側壁上端部２２は、断面が四角形の角パイプ等よりなる。そのため、前記取付基部２は、主として前記側壁上端部２２の一部に対して上方から嵌合するように、上板部２ａと内外側板２ｂ，２ｃとからなる断面逆Ｕ形状に形成されている。もちろん他の取付構造ヲ利用擦ることも可能である。また、前記２本の支持腕部３，３は、前記取付基部２の前記内側板２ａに前記嵌合状態において略水平をなすように突設されているが、場合によっては外枠内方に向かって若干下方に傾斜させて突設しておくこともできる。図示する実施例の支持腕部３，３は、曲げ強度等を考慮して断面が略鉤形（アングル状）をなしているが、これに限定されるものではない。また、前記支持腕部３，３の長さは、比較的大型の液体コンテナにも利用できるように適宜設定される。
【００２２】
また、前記両支持腕部３，３に跨って固定されるガイド部材５は、長手方向の両端部が前記両支持腕部３，３の外側面に沿うように下方に折り曲げ形成されるとともに、該折曲板５ａ，５ａの下端部５ｂ，５ｂが内側に折曲されて、前記支持腕部３，３の下端３ａ，３ａに係合するように形成され、前記支持腕部３，３に沿ってその長手方向にスライド移動可能に設けられ、さらに任意の位置で固定するための固定手段７が設けられ、位置調整可能に設けられている。
【００２３】
図示する実施例の場合は、前記固定手段７として、図５に拡大して示すように、前記支持腕部３，３の上面部に対接する部分にねじ孔部７ａを設けるとともに、該ねじ孔部７ａに蝶ねじ等の締付け具７ｂを螺合し、該締め付け具７ｂの端部を支持腕部３，３に当接させて締付けることにより、前記下端部５ｂ，５ｂを前記支持腕部３，３の下端３ａ，３ａに強く係合させることで任意の位置に固定できるように構成されている。
【００２４】
前記固定手段７としては、前記の構造のものに限らず、例えば、前記支持腕部３にその長手方向に長孔を設けておいて、前記ガイド部材５前記長穴を貫通する締結ボルトとナットにより固定するようにする等、種々の固定形態による実施が可能である。図中の３ｂ，３ｂは前記ガイド部材５の離脱防止用の突起である。
【００２５】
そして、前記取付基部２の上部及び前記ガイド部材５の上部には、外枠２０の側壁上端部２２に沿う幅方向に前記ホース３０が入る間隔を存して並立する一対の縦ガイド４，４が立設されている。前記ガイド部材５の上部にも、前記取付基部２の上部の縦ガイド４，４と同じ間隔を存して並立する一対の縦ガイド８，８が設けられている。
【００２６】
さらに、前記各一対の縦ガイド４，４間及び８，８間の下部には、それぞれ前記取付基部２と平行な軸心をもつ回転自在なガイドローラ６及び９が設けられており、前記縦ガイド４，４間、及び縦ガイド８，８間を通して外枠内底部の前記内袋１０の注入口１１に接続される前記ホース３０を前記ガイドローラ６及び９に掛けて外枠２０内に引き込めるように構成されている。これにより、前記ホース３０の長手方向の送り移動を許容できるようになっている。
【００２７】
図の場合、前記ガイドローラ６及び９は、それぞれ、前記縦ガイド４，４及び８，８の芯体４ａ，４ａ及び８ａ，８ａの下部に架渡された横軸６ａ及び９ａ上にプラスチック製のローラ体６ｂ及び９ｂが回転自在に嵌合されたものよりなる。
【００２８】
なお、前記縦ガイド４，４及び８，８は、単なる棒状体よりなるものであってもよいが、図示する実施例の場合は、前記芯体４ａ，４ａ及び８ａ，８ａの上部の円形軸部にプラスチック製のローラ体４ｂ，４ｂ及び８ｂ，８ｂが回転自在に嵌合されたものよりなり、該ローラ体４ｂ，４ｂ間、及び８ｂ，８ｂ間に入るホース３０の送り移動をさらに容易にするように設けられている。
【００２９】
前記取付基部２上の縦ガイド４，４及びガイドローラ６と、前記ガイド部材５上の縦ガイド８，８及びガイドローラ９との間の間隔は、支持腕部３，３に対して位置調整可能なガイド部材５の固定位置を調整することにより任意に調整し変更できる。
【００３０】
上記のように構成されるホースガイドＡは、外枠２０内の底部２３上にセットされているコンテナ用内袋１０に液体を注入する際に、図６及び図７のように、本体１の支持腕部３，３を内方に向けるようにして取付基部２を外枠２０の側壁上端部２２の一部に嵌合することにより簡単に取り付けることができる。なお、外枠２０内には、図のように底部２３上に折り畳まれた状態の内袋１０をセットし、底部２３に有する開口部を通して排出口１３に排出管１５を接続しておく。
【００３１】
そして、液体注入のためのホース３０を、前記取付基部２及びガイド部材５に並立している各一対の縦ガイド４，４及び８，８間に通し、かつ両縦ガイド間のガイドローラ上に掛けるようにして外枠内部に引き入れ、該ホースの先端部を、外枠底部上にセットされている内袋１０の注入口１１に対し、その上方より下ろすようにして接続すればよく、内袋１０に歪みを生じさせることなく接続セットできる。この接続手段としては、種々の接続構造を利用できるが、実施上は、前記ホース３０の先端にレバー式のカップリング３１を取着するとともに、前記袋体１０の注入口１１にキャップに換えて前記カップリング３１に対応する接続用のアダプター１７を取着しておいて、前記カップリング３１により接続するのがよい。
【００３２】
また、前記ガイド部材５の支持腕部３，３に対する固定位置を調整することにより、前記ガイドローラ６及び９に掛けられたホース３０の位置を内袋１０の注入口１１に対し最も適切な位置に合わせることができる。
【００３３】
そして、前記内袋１０への液体注入時には、折り畳まれた内袋１０が注入される液体の増加によって膨らみながら注入口１１が徐々に上昇するとともに、この注入口１１の上昇に伴って、該注入口１１に接続されているホース３０も押し上げられ、縦ガイド４，４間及び８，８間に保持されている該ホース３０が横振れすることなく前記ガイドローラ６および９の上を抵抗なく外枠２０の外方へ送り出され、最終的に図７の鎖線のように、注入口１１の位置がずれたり、内袋１０が歪んだりすることなく、正常な袋形態を保持して膨らみ、所定量の液体が収容されることになる。
【００３４】
特に、前記ホース３０をガイドローラ６及び９によって受けるため、前記ホース３０が仮に蛇腹状をなすものであっても、側壁上端部２２に引っ掛かったりすることがなく、該ホース３０をスムーズに送り出すことができる。そのため、作業者が注視していなくても、前記ホースの長さに余剰が生じて、前記注入口の位置がずれたり、内袋が引っ張られて歪んだりすることがない。
【産業上の利用可能性】
【００３５】
本発明のホースガイドは、各種薬品や液状食品その他の液体の輸送に用いられる液体コンテナ、特に剛性のある外枠とその内部に装備される内袋との組み合わせからなる各種形式の液体コンテナにおいて、前記内袋に液体を注入し充填する際に好適に利用することができる。
【図面の簡単な説明】
【００３６】
【図１】本発明に係る液体コンテナ用のホースガイドの斜視図である。
【図２】同平面図である。
【図３】図２のIII−III線の断面図である。
【図４】図２のIV−IV線の断面図である。
【図５】前図の一部の拡大断面図である。
【図６】同上の使用状態の一部を欠截した斜視図である。
【図７】同上の断面図である。
【符号の説明】
【００３７】
Ａ…ホースガイド、１…本体、２…取付基部、３，３…支持腕部、３ａ，３ａ…下端分、３ｂ，３ｂ…離脱防止用の突起、４，４…縦ガイド、４ａ，４ａ…芯体、４ｂ，４ｂ…ローラ体、５…ガイド部材、６…ガイドローラ、６ａ…横軸、６ｂ…ローラ体，７…固定手段、７ａ…ねじ孔部、７ｂ…締付け具、８，８…縦ガイド、８ａ，８ａ…芯体、８ｂ，８ｂ…ローラ体、９…ガイドローラ、９ａ…横軸、９ｂ…ローラ体、１０…内袋、１１…注入口、１３…排出口、１５…排出管、１７…アダプター、２０…外枠、２１…側壁、２２…上端部、２３…底部、３０…ホース、３１…カップリング。
【図１】
2007009953.tif 000003
【図２】
2007009953.tif 000004
【図３】
2007009953.tif 000005
【図４】
2007009953.tif 000006
【図５】
2007009953.tif 000007
【図６】
2007009953.tif 000008
【図７】
2007009953.tif 000009